(57)【要約】【課題】マルチカラーのレーザ光を出射する光アセンブリにおいて、光品質を低下させることなく小型化を実現する。【解決手段】赤色ＬＤチップ１４、緑色ＬＤチップ１５、青色ＬＤチップ１６を搭載する光アセンブリ１であって、それぞれのＬＤチップは、それぞれのＬＤチップに対応するサブマウント１７，１８，１９を介してブロック１１の主面２０上に搭載されており、ブロック１１上には、これら複数のＬＤチップから出射される複数のレーザ光に対する光学系１３が搭載されており、光学系１３は、複数のレーザ光を光アセンブリ１の外部にある焦点Ｐ１に集光レンズ４を介して集光する。【選択図】図１
2014168021.tif 000002
【特許請求の範囲】
【請求項１】
複数のＬＤチップを搭載する光アセンブリであって、
前記複数のＬＤチップのそれぞれは、前記複数のＬＤチップのそれぞれに対応するサブマウントを介してブロック上に搭載されており、
前記ブロック上には、前記複数のＬＤチップから出射される複数のレーザ光に対する光学系が搭載されており、
前記光学系は、前記複数のレーザ光のそれぞれを実質的にコリメート光に変換する、
ことを特徴とする光アセンブリ。
【請求項２】
前記複数のＬＤチップは、赤、緑、青に対応する波長のレーザ光を出射する、
ことを特徴とする請求項１に記載の光アセンブリ。
【請求項３】
前記光学系は、さらに前記複数のコリメート光を合波する複数の波長選択性フィルタとを有する、
ことを特徴とする請求項１または２に記載の光アセンブリ。
【請求項４】
前記光学系は、ベース上に搭載されている、
ことを特徴とする請求項１〜３の何れか一項に記載の光アセンブリ。
【請求項５】
前記ベースは、ガラス製であり、前記光学系の固定位置を示す構造を有する、
ことを特徴とする請求項４に記載の光アセンブリ。
【請求項６】
前記構造は、前記ベースの主面に形成された複数の凹部である、
ことを特徴とする請求項５に記載の光アセンブリ。
【請求項７】
前記ブロックは、前記ベースを収容する凹部を有する、
ことを特徴とする請求項４〜６の何れか一項に記載の光アセンブリ。
【請求項８】
前記ブロックの凹部の深さは、前記ベースの厚みと同じである、
ことを特徴とする請求項４〜７の何れか一項に記載の光アセンブリ。
【請求項９】
前記複数のＬＤチップは、前記複数のＬＤチップの一のＬＤチップの光出射方向と他のＬＤチップの光出射方向とが９０度を成すように、前記ブロック上に搭載されている、
ことを特徴とする請求項１〜８の何れか一項に記載の光アセンブリ。
【請求項１０】
前記複数のレンズのそれぞれは、球レンズである、
ことを特徴とする請求項１〜９の何れか一項に記載の光アセンブリ。
【発明の詳細な説明】
【技術分野】
【０００１】
本発明は、光アセンブリに関する。
【背景技術】
【０００２】
特許文献１は、光源装置とヘッドマウントディスプレイとに係る技術を開示する。光源装置は、緑色レーザダイオードと、青色レーザダイオードと、赤色レーザダイオードと、これらからの光を選択的に透過・屈折するダイクロイックプリズムとを備える。緑色レーザダイオードは、光源装置において、最も発熱量が大きく、放熱器が大きい。緑色レーザダイオードは、ダイクロイックプリズムを挟んで、出射口と対向する位置に、設けられている。放熱器の幅は、青色レーザダイオードの外側から赤色レーザダイオードの外側までの幅よりも狭く成るように、形成されている。
【０００３】
特許文献２は、多波長光源装置に係る技術を開示する。多波長光源装置は、同軸モジュール内に複数のＬＤチップを搭載し、一個の集光レンズにより各出射光を一点に集光する。多波長光源装置は、光源と、集光手段と、導光手段とを備える。光源は、光を出射する複数の発火点を備える。集光手段は、複数の発火点から出射された複数の光を集光する。導光手段は、集光手段によって集光された複数の発火点からの複数の光が重なり、混じり合うように伝播させる。
【０００４】
特許文献３は、画像表示装置に係る技術を開示する。画像表示装置は、赤、青、緑の各ＬＤ光を集光して、カラー画像を表示する。画像表示装置は、被投射面上に光を走査して画像を表示する。画像表示装置は、駆動信号生成手段と、光源と、走査手段と、照射位置検出手段と、補正手段と、を備える。駆動信号生成手段は、表示画像を示す階調信号に応じた駆動信号を生成する。光源は、駆動信号に応じた光量を有する光を発生する。走査手段は、光源から発生する光を被投射面上に走査する。照射位置検出手段は、被投射面上における光の照射位置を検出する。補正手段は、照射位置に応じて駆動信号を補正するための補正信号を駆動信号生成手段に出力する。駆動信号生成手段は、補正信号を基に駆動信号を補正する。
【０００５】
特許文献４は、ＬＥＤ光源装置の設計方法とＬＥＤ光源装置とに係る技術を開示する。ＬＥＤ光源装置は、赤、緑、青それぞれのビームを、それぞれコリメートレンズで整形してダイクロイックミラーで波長を合波する。ＬＥＤ光源装置は、ＬＥＤ素子と、複数のコリメーターレンズ群と、ダイクロイックミラー群と、コンデンサーレンズ群と、ライトトンネルとを備える。ＬＥＤ素子は、各原色光を出射する。赤、緑、青それぞれの各光源は、別々のパッケージに搭載されている。複数のコリメーターレンズ群は、複数のＬＥＤ素子の出射光をそれぞれ平行光に変調する。ダイクロイックミラー群は、複数のコリメーターレンズ群が出力する平行光を合成する。コンデンサーレンズ群は、ダイクロイックミラー群の合成光を集光する。ライトトンネルは、コンデンサーレンズ群で集光された光の光量分布を均一にする。ライトトンネル５の出力光は、反射型光変調素子によって光変調される。ＬＥＤ光源装置と反射型光変調素子とは、画像投射装置に搭載される。画像投射装置に搭載可能な反射型光変調素子の中で最もエタンデュの大きい素子にあわせて、コンデンサーレンズ群が調整される。
【先行技術文献】
【特許文献】
【０００６】
【特許文献１】特開２０１１−１７１５３５号公報
【特許文献２】特開２０１１−０６６０２８号公報
【特許文献３】特開２００８−３０９９３５号公報
【特許文献４】特開２０１２−１４１４８３号公報
【発明の概要】
【発明が解決しようとする課題】
【０００７】
近年、液晶ディスプレイが広く普及している。液晶ディスプレイのモバイルへの適用に向けた技術開発は、進められている。一方、ＬＤ光源を用いたディスプレイは、液晶ディスプレイのバックライトに使用されている白色ＬＥＤと比較して、低消費電力、高精細、多彩性に優れている。このため、ＬＤ光源を用いたディスプレイを、小型プロジェクタ、ヘッドマウントディスプレイ、ヘッドアップディスプレイ等に適用することが、検討されている。このようなディスプレイでは、赤、緑、青の三原色の複数のＬＤ光源からの複数のレーザ光が、強弱をつけて重ね合わせられることによって、色鮮やかな画質が得られる。三原色を重ね合わせるためには、それぞれの波長を合波する波長フィルタと、合波された光を、ＭＥＭＳ（Micro  Electro  Mechanical  systems）、ＤＬＰ（Digital  Light  Processing）、ＬＣＯＳ（Liquid  Crystal  On  Silicon）等の撮像素子へ導くための光学系とが必要となる。このような複数のＬＤ光源、波長フィルタ、光学系を備えるモジュールでは、ＬＤ光源が点光源である一方でビーム広がり角を１０度×２０度の程度と比較的に狭くする必要があるので、レンズやフィルタ等に対し比較的に精密な光軸調整が必要となる。
【０００８】
三原色のＬＤ光源が別々のパッケージに搭載される場合、モジュールの小型化は、困難である。赤、緑、青それぞれに対応する複数のＬＤ光源が別々のパッケージに搭載される場合、各パッケージの大きさに応じた複数のレンズと複数のフィルタとを搭載しなければならないので、比較的に大きな形状のモジュールとなる。更に、ＬＤ光源とレンズとの調整を行う場合、実装許容量を大きくするためには焦点距離の大きなレンズ、つまりレンズ径の大きいレンズを使用する必要がある。なお、特許文献２には、複数のＬＤチップを搭載する一の同軸モジュールが開示されているが、複数のＬＤからの光を一個のレンズにより集光しているので、色収差（波長が異なることによる焦点距離のズレ）の補償が困難となり、光品質が低下する。そこで、本発明の目的は、上記の事項を鑑みてなされたものであり、マルチカラーのレーザ光を出射する光アセンブリにおいて、光品質を低下させることなく小型化を実現することである。
【課題を解決するための手段】
【０００９】
本発明に係る光アセンブリは、複数のＬＤチップを搭載し、前記複数のＬＤチップのそれぞれは、前記複数のＬＤチップのそれぞれに対応するサブマウントを介してブロック上に搭載されており、前記ブロック上には、前記複数のＬＤチップから出射される複数のレーザ光に対する光学系が搭載されており、前記光学系は、前記複数のレーザ光それぞれを実質的にコリメート光に変換する、ことを特徴とする。このように、光アセンブリが備える光学系は、複数のＬＤチップのそれぞれから出射されるレーザ光をコリメート光に変換して合波する。従って、一の光学系のみによって複数色のレーザ光を一点に集光できるので、光アセンブリが小型化される。なお、調心が好適に行われた光学系を用いれば、光アセンブリの光品質も維持可能となる。
【００１０】
本発明において、前記複数のＬＤチップは、赤、緑、青に対応する波長のレーザ光を出射する、ことを特徴とする。赤色レーザ光、緑色レーザ光、青色レーザ光の出力が行えるので、マルチカラーが実現できる。
【００１１】
本発明において、前記光学系は、さらに前記複数のコリメート光を合波する複数の波長選択性フィルタを有する、ことを特徴とする。複数のＬＤチップのそれぞれに対応して搭載されている複数のレンズと、複数のレーザ光を合波する複数の波長選択性フィルタとによって、複数のレーザ光が、コリメート光として合波される。
【００１２】
本発明において、前記光学系は、ベース上に搭載されている、ことを特徴とする。光学系は、単一のベース上に搭載され得るものであり、コンパクトに構成されているので、光アセンブリの小型化が可能となる。
【００１３】
本発明において、前記ベースは、ガラス製であり、前記光学系の固定位置を示す構造を有する、ことを特徴とする。ベースの材料は、ガラスなので、光学系の複数のレンズ等と同様の材料とすることができ、よって、ベースの熱膨張係数を光学系と同様の熱膨張係数とすることができる。また、光学系の固定位置を示す構造によって、ベースに対する光学系の位置は、このような構造が無い場合に比較して、より精密なものとなる。
【００１４】
本発明において、前記構造は、前記ベースの主面に形成された複数の凹部である、ことを特徴とする。光学系の固定位置を示す構造が複数の凹部の場合に、これらの凹部によって機械的に光学系を好適な位置に合わせることが可能となる。
【００１５】
本発明において、前記ブロックは、前記ベースを収容する凹部を有する、ことを特徴とする。ベースは、ブロックの凹部によって安定にブロックに保持される。
【００１６】
本発明において、前記ブロックの凹部の深さは、前記ベースの厚みと同じである、ことを特徴とする。ブロックの凹部の設けられている主面と、ベースの主面とを、段差無く、一の面に設けることができる。
【００１７】
本発明において、前記複数のＬＤチップは、前記複数のＬＤチップの一のＬＤチップの光出射方向と他のＬＤチップの光出射方向とが９０度を成すように、前記ブロック上に搭載されている、ことを特徴とする。複数のＬＤチップの複数の光出射方向が互いに９０度を成すので、９０度の反射のみによって複数のＬＤチップの複数のレーザ光の合波が可能となる。よって、光学系の構成を簡略にできる。
【００１８】
本発明において、前記複数のレンズのそれぞれは、球レンズである、ことを特徴とする。
【発明の効果】
【００１９】
本発明によれば、マルチカラーのレーザ光を出射する光アセンブリにおいて、光品質を低下させることなく小型化を実現できる。
【図面の簡単な説明】
【００２０】
【図１】実施形態に係る光アセンブリ１の構成を示す図である。
【図２】光アセンブリ１の断面の構成を示す図である。
【図３】光アセンブリ１の製造方法の主要な工程を説明するためのフローチャートである。
【図４】光アセンブリ１の製造方法を説明するための図である。
【図５】光アセンブリ１の製造方法を説明するための図である。
【図６】光アセンブリ１の製造方法を説明するための図である。
【図７】光アセンブリ１の製造方法を説明するための図である。
【図８】レーザ光をコリメートするレンズの位置ズレ（オフセット量）に伴うレーザ光の発光パターンの位置ズレと大きさとを計算した結果を示す図である。
【図９】レンズの位置ズレを設計位置から１μｍ、５μｍ、１０μｍと変化させた場合に発光パターンの位置ズレの変化を計算した結果を示す図である。
【発明を実施するための形態】
【００２１】
以下、図面を参照して、本発明に係る好適な実施形態について詳細に説明する。なお、図面の説明において、可能な場合には、同一要素には同一符号を付し、重複する説明を省略する。まず、図１、図２を参照して、光アセンブリ１の構成を説明する。図１は、実施形態に係る光アセンブリ１の構成を示す図である。
【００２２】
光アセンブリ１は、赤色レーザ光、緑色レーザ光、青色レーザ光（複数のＬＤチップ）を合波し、合波後のレーザ光を光アセンブリ１の基準光軸Ｌ１に乗って（基準光軸Ｌ１と平行に）、出射する。光アセンブリ１は、合波後のレーザ光を、光アセンブリ１の基準光軸Ｌ１に沿って光アセンブリ１の外部に出射し、光アセンブリ１の外部にある一点（焦点Ｐ１）に集光する。焦点Ｐ１は、光アセンブリ１の基準光軸Ｌ１上にある。
【００２３】
光アセンブリ１は、ステム２、キャップ３、集光レンズ４、リードピン５、リードピン６、リードピン７、リードピン８、を備える。キャップ３は、集光レンズ４を保持する。集光レンズ４は、ステム２の主面９の上方であって、光アセンブリ１の基準光軸Ｌ１上にある。主面９は、例えば、５．６ｍｍの径を有する。リードピン５は、ステム２の主面９の上に突出する。リードピン５は、ステム２と電気的に絶縁している。リードピン６は、ステム２の主面９の上に突出する。リードピン６は、ステム２と電気的に絶縁している。リードピン７は、ステム２の主面９の上に突出する。リードピン７は、ステム２と電気的に絶縁している。リードピン８は、ステム２と電気的に接続される。
【００２４】
光アセンブリ１は、更に、ブロック１１、ベース１２、光学系１３、赤色ＬＤチップ１４、緑色ＬＤチップ１５、青色ＬＤチップ１６、サブマウント１７、サブマウント１８、サブマウント１９を備える。ブロック１１、ベース１２、光学系１３、赤色ＬＤチップ１４、緑色ＬＤチップ１５、青色ＬＤチップ１６、サブマウント１７、サブマウント１８、サブマウント１９は、ステム２の主面９の上に固定され、ステム２とキャップ３とによってハーメチックシールされる。光学系１３は、ベース１２の主面２０に固定されている。ブロック１１は、ステム２の主面９の上に垂直に延びている。ブロック１１は、ヒートシンクとして機能する。ブロック１１の主面２１は、ステム２の主面９と垂直に延びている。ブロック１１の主面２１は、ステム２を介してリードピン８に電気的に接続される。ベース１２の材料は、例えば、光学系１３のレンズ２２、レンズ２３、レンズ２４、波長選択性フィルタ２５、波長選択性フィルタ２６と熱膨張係数が等しいガラスである。ベース１２の外形は、例えば、１ｍｍ×１ｍｍ×０．５ｍｍである。
【００２５】
赤色ＬＤチップ１４は、ブロック１１の主面２１の上にサブマウント１７を介して固定されている。緑色ＬＤチップ１５は、ブロック１１の主面２１の上にサブマウント１８を介して固定されている。青色ＬＤチップ１６は、ブロック１１の主面２１の上にサブマウント１９を介して固定されている。サブマウント１７、サブマウント１８、サブマウント１９の材料は、赤色ＬＤチップ１４、緑色ＬＤチップ１５、青色ＬＤチップ１６の材料とマッチングするものであり、例えば、ＡｌＮ、ＳｉＣ、Ｓｉ、ダイヤモンド等の何れかである。サブマウント１７、サブマウント１８、サブマウント１９のそれぞれは、赤色ＬＤチップ１４、緑色ＬＤチップ１５、青色ＬＤチップ１６のそれぞれと、例えば、ＡｕＳｎペースト、ＳｎＡｇＣｕペースト、Ａｇペースト等の何れかによって、固定されている。
【００２６】
サブマウント１７は、ブロック１１の主面２１に固定される。赤色ＬＤチップ１４は、サブマウント１７に固定される。サブマウント１７と赤色ＬＤチップ１４の接合面は、ワイヤＷ２を介してブロック１１の主面２１に電気的に接続される。赤色ＬＤチップ１４の一の電極は、サブマウント１７と赤色ＬＤチップ１４の接合面と、ワイヤＷ２と、ブロック１１の主面２１と、ステム２とを介して、リードピン８と電気的に接続される。赤色ＬＤチップ１４の他の電極は、ワイヤＷ１を介して、リードピン５に電気的に接続される。
【００２７】
サブマウント１８は、ブロック１１の主面２１に固定される。緑色ＬＤチップ１５は、サブマウント１８に固定される。緑色ＬＤチップ１５とサブマウント１８の接合面は、ワイヤＷ３を介してブロック１１の主面２１に電気的に接続される。緑色ＬＤチップ１５の一の電極は、サブマウント１８と緑色ＬＤチップ１５の接合面と、ワイヤＷ３と、ブロック１１の主面２１と、ステム２とを介して、リードピン８と電気的に接続される。緑色ＬＤチップ１５の他の電極は、ワイヤＷ４を介して、リードピン６に電気的に接続される。
【００２８】
サブマウント１９は、ブロック１１の主面２１に固定される。青色ＬＤチップ１６は、サブマウント１９に固定される。青色ＬＤチップ１６とサブマウント１９の接合面は、ワイヤＷ５を介してブロック１１の主面２１に電気的に接続される。青色ＬＤチップ１６の一の電極は、サブマウント１９と青色ＬＤチップ１６の接合面と、ワイヤＷ５と、ブロック１１の主面２１と、ステム２とを介して、リードピン８と電気的に接続される。青色ＬＤチップ１６の他の電極は、ワイヤＷ６を介して、リードピン７に電気的に接続される。
【００２９】
ベース１２の主面２０は、基準光軸Ｌ１に平行に延びている。ベース１２の主面２０は、ブロック１１の主面２１と平行に延びている。ベース１２は、ブロック１１の凹部２８に収容される。ベース１２は、凹部２８の側壁によって支持される。ベース１２の厚みＤ１は、凹部２８の深さＤ２と同じである。ベース１２の主面２０は、ブロック１１の主面２１に、段差無く、接続している。ベース１２の主面２０とブロック１１の主面２１とは、共に、基準光軸Ｌ１に平行な一の面内にある。
【００３０】
光学系１３は、ベース１２の主面２０に固定される。光学系１３は、レンズ２２、レンズ２３、レンズ２４、波長選択性フィルタ２５、波長選択性フィルタ２６を備える。レンズ２２、レンズ２３、レンズ２４は、球体レンズである。レンズ２２、レンズ２３、レンズ２４は、何れも、コリメートレンズとして機能する。レンズ２２は、赤色ＬＤチップ１４から出射される赤色レーザ光を透過する。レンズ２２から出射される赤色レーザ光は、実質的にコリメート光である。レンズ２３は、緑色ＬＤチップ１５から出射される緑色レーザ光を透過する。レンズ２３から出射される緑色レーザ光は、実質的にコリメート光である。レンズ２４は、青色ＬＤチップ１６から出射される青色レーザ光を透過する。レンズ２４から出射される青色レーザ光は、実質的にコリメート光である。波長選択性フィルタ２５は、赤色ＬＤチップ１４から出射される赤色レーザ光を透過する。波長選択性フィルタ２５は、緑色ＬＤチップ１５から出射される緑色レーザ光を反射する。波長選択性フィルタ２６は、赤色ＬＤチップ１４から出射される赤色レーザ光と、緑色ＬＤチップ１５から出射される緑色レーザ光とを透過する。波長選択性フィルタ２６は、青色ＬＤチップ１６から出射される青色レーザ光を反射する。波長選択性フィルタ２５は、コリメートされた赤色レーザ光と、コリメートされた緑色レーザ光とを合波する。波長選択性フィルタ２６は、コリメートされた赤色レーザ光と、コリメートされた緑色レーザ光と、コリメートされた青色レーザ光とを合波する。赤色ＬＤチップ１４の波長は、例えば、６４０ｎｍ程度であり、緑色ＬＤチップ１５の波長は、例えば、５３５ｎｍ程度であり、青色ＬＤチップ１６の波長は、例えば、４４０ｎｍ程度である。
【００３１】
赤色ＬＤチップ１４、レンズ２２、波長選択性フィルタ２５、波長選択性フィルタ２６、集光レンズ４は、基準光軸Ｌ１上において、主面９に近い方から順に配置される。緑色ＬＤチップ１５、レンズ２３、波長選択性フィルタ２５は、基準光軸Ｌ１と９０度を成す方向に、順に配置されている。青色ＬＤチップ１６、レンズ２４、波長選択性フィルタ２６は、基準光軸Ｌ１と９０度を成す方向に、順に配置されている。
【００３２】
赤色ＬＤチップ１４の光出射方向Ｋ１は、基準光軸Ｌ１に一致している。赤色ＬＤチップ１４から光出射方向Ｋ１に出射出される赤色レーザ光は、レンズ２２、波長選択性フィルタ２５、波長選択性フィルタ２６を介し、基準光軸Ｌ１に一致して、集光レンズ４、焦点Ｐ１に向けて、進行する。赤色ＬＤチップ１４から光出射方向Ｋ１に出射される赤色レーザ光は、レンズ２２の中心を通過する。
【００３３】
緑色ＬＤチップ１５の光出射方向Ｋ２は、基準光軸Ｌ１と９０度を成す方向である。緑色ＬＤチップ１５から光出射方向Ｋ２に出射される緑色レーザ光は、レンズ２３を介して波長選択性フィルタ２５に到達し、波長選択性フィルタ２５によって、光出射方向Ｋ２と９０度を成す方向に反射され、波長選択性フィルタ２６を介して、基準光軸Ｌ１に沿って（基準光軸Ｌ１に平行に）、集光レンズ４、焦点Ｐ１に向けて、進行する。緑色ＬＤチップ１５から光出射方向Ｋ２に出射される緑色レーザ光は、レンズ２３の中心を通過する。
【００３４】
青色ＬＤチップ１６の光出射方向Ｋ３は、基準光軸Ｌ１と９０度を成す方向である。青色ＬＤチップ１６から光出射方向Ｋ３に出射される青色レーザ光は、レンズ２４を介して波長選択性フィルタ２６に到達し、波長選択性フィルタ２６によって、光出射方向Ｋ３と９０度を成す方向に反射され、基準光軸Ｌ１に沿って（基準光軸Ｌ１に平行に）、集光レンズ４、焦点Ｐ１に向けて、進行する。青色ＬＤチップ１６から光出射方向Ｋ３に出射される緑色レーザ光は、レンズ２４の中心を通過する。赤色ＬＤチップ１４から出射される赤色レーザ光と、緑色ＬＤチップ１５から出射される緑色レーザ光と、青色ＬＤチップ１６から出射される青色レーザ光とは、光学系１３によって、合波され、合波光は、光学系１３の波長選択性フィルタ２６から、基準光軸Ｌ１に沿って、集光レンズ４、焦点Ｐ１に向けて、進行する。
【００３５】
例えば、サブマウント１７の厚さ（主面２０から赤色ＬＤチップ１４とサブマウント１７との接合面までの長さ）が０．１５ｍｍであり、赤色ＬＤチップ１４の発光層（活性層）の高さ（赤色ＬＤチップ１４とサブマウント１７との接合面から赤色ＬＤチップ１４の発光層までの長さ）が０．１ｍｍの場合、主面２０から赤色ＬＤチップ１４の発光位置までの長さは、０．２５ｍｍとなる。この場合、レンズ２２が、例えばＢＫ−７で０．５ｍｍ径の場合、レンズ２２の中心は、主面２０から０．２５ｍｍの位置にあるので、レンズ２２をサブマウント１７の表面上に置くと、レンズ２２の中心と赤色ＬＤチップ１４の発光位置とは、主面２０からの長さが略一致する。
【００３６】
図２は、図１に示すＩ−Ｉ線に沿ってとられた、光アセンブリ１の断面の構成を示す図である。図２に示す断面は、ステム２の主面９に垂直であり、光アセンブリ１の基準光軸Ｌ１に平行であり、ブロック１１の主面２１に平行である。赤色ＬＤチップ１４から光出射方向Ｋ１に出射される赤色レーザ光は、基準光軸Ｌ１に一致して、レンズ２２の中心を通り、波長選択性フィルタ２５、波長選択性フィルタ２６を透過して、集光レンズ４に向かう。緑色ＬＤチップ１５から光出射方向Ｋ２に出射される緑色レーザ光は、基準光軸Ｌ１と９０度を成す方向に進み、レンズ２３の中心を通って波長選択性フィルタ２５に到達し、波長選択性フィルタ２５で反射され９０度だけ進行方向が変わって基準光軸Ｌ１に平行となり、波長選択性フィルタ２６を透過して、集光レンズ４に向かう。青色ＬＤチップ１６から光出射方向Ｋ３に出射される青色レーザ光は、基準光軸Ｌ１と９０度を成す方向に進み、レンズ２４の中心を通って波長選択性フィルタ２６に到達し、波長選択性フィルタ２６で反射され９０度だけ進行方向が変わって基準光軸Ｌ１に平行となり、集光レンズ４に向かう。
【００３７】
集光レンズ４には、赤色ＬＤチップ１４からの赤色レーザ光と、緑色ＬＤチップ１５からの緑色レーザ光と、青色ＬＤチップ１６からの青色レーザ光とが合波された合波光が、入射し、合波光を、焦点Ｐ１に集光する。集光レンズ４に入射する合波光を構成する赤色レーザ光、緑色レーザ光、青色レーザ光は、何れも、基準光軸Ｌ１に平行に進行し、集光レンズ４に入射する。
【００３８】
図３は、光アセンブリ１の製造方法の主要な工程を説明するためのフローチャートである。ステップＳ１において、図４に示すように、赤色ＬＤチップ１４、緑色ＬＤチップ１５、青色ＬＤチップ１６がサブマウント１７、サブマウント１８、サブマウント１９それぞれを介して主面２１に固定されたブロック１１の凹部２８にベース１２を嵌め込み、ＵＶ硬化樹脂によって、ベース１２をブロック１１に固定する。サブマウント１７には、赤色ＬＤチップ１４の固定位置を示すマークが設けられている。赤色ＬＤチップ１４は、サブマウント１７に設けられたこのマークに合わせて、サブマウント１７に配置され、固定される。サブマウント１８には、緑色ＬＤチップ１５の固定位置を示すマークが設けられている。緑色ＬＤチップ１５は、サブマウント１８に設けられたこのマークに合わせて、サブマウント１８に配置され、固定される。サブマウント１９には、青色ＬＤチップ１６の固定位置を示すマークが設けられている。青色ＬＤチップ１６は、サブマウント１９に設けられたこのマークに合わせて、サブマウント１９に配置され、固定される。ブロック１１の主面２１には、サブマウント１７、サブマウント１８、サブマウント１９の固定位置を示す複数のマークが設けられている。サブマウント１７、サブマウント１８、サブマウント１９それぞれは、ブロック１１の主面２１に設けられたこれらの複数のマークのそれぞれに合わせて、配置され、固定される。
【００３９】
赤色ＬＤチップ１４はワイヤＷ１を介してリードピン５に接続され、サブマウント１７はワイヤＷ２を介してブロック１１に接続されており、よって、リードピン５を介して赤色ＬＤチップ１４に駆動電流が供給可能になっている。緑色ＬＤチップ１５はワイヤＷ４を介してリードピン６に接続され、サブマウント１８はワイヤＷ３を介してブロック１１接続されており、よって、リードピン６を介して緑色ＬＤチップ１５に駆動電流が供給可能になっている。青色ＬＤチップ１６はワイヤＷ６を介してリードピン７に接続され、サブマウント１９はワイヤＷ５を介してブロック１１に接続されており、よって、リードピン７を介して青色ＬＤチップ１６に駆動電流が供給可能になっている。
【００４０】
また、ステップＳ１では、図４に示すベース１２には、光学系１３は、搭載されていない。ベース１２の主面２０には、指示マークＭ１、指示マークＭ２、指示マークＭ３、指示マークＭ４、指示マークＭ５が予め設けられている。指示マークＭ１、指示マークＭ２、指示マークＭ３、指示マークＭ４、指示マークＭ５は、ベース１２の主面２０に対する光学系１３の固定位置を示す構造である。指示マークＭ１は、レンズ２２の固定位置を示す。指示マークＭ２は、レンズ２３の固定位置を示す。指示マークＭ３は、レンズ２４の固定位置を示す。指示マークＭ４は、波長選択性フィルタ２５の固定位置を示す。指示マークＭ５は、波長選択性フィルタ２６の固定位置を示す。なお、指示マークＭ１、指示マークＭ２、指示マークＭ３、指示マークＭ４、指示マークＭ５それぞれは、何れも、主面２０に設けられた凹部であることができる。
【００４１】
ステップＳ２では、図５に示す二次元センサ２９、表示装置３０を用いる。ステップＳ２では、赤色ＬＤチップ１４、緑色ＬＤチップ１５、青色ＬＤチップ１６それぞれの発光パターンを撮像するための二次元センサ２９を、光アセンブリ１の基準光軸Ｌ１上に設置する。二次元センサ２９は、例えば、ＣＣＤカメラである。表示装置３０は、モニタ画面３１を備える。表示装置３０は、二次元センサ２９に接続される。モニタ画面３１は、二次元センサ２９によって撮像された二次元画像、特に、二次元センサ２９の光入射面３２に照射される赤色ＬＤチップ１４、緑色ＬＤチップ１５、青色ＬＤチップ１６の発光パターンを、表示する。モニタ画面３１の画面中央Ｃ１は、基準光軸Ｌ１と一致するように、調整されている。モニタ画面３１の基準線Ａ１は、主面２１に平行となるように、調整されている。二次元センサ２９の光入射面３２は、ブロック１１の上面から距離Ｄ３だけ離れている。本実施形態における距離Ｄ３は、１メートル程度である。光入射面３２は、基準光軸Ｌ１に交差し、直交する。
【００４２】
更に、ステップＳ２では、光反射器３３、光反射器３４を用いる。光反射器３３、光反射器３４は、例えば、プリズムが考えられる。光反射器３３は、光反射面３５を備える。光反射器３４は、光反射面３６を備える。光反射器３３は、緑色ＬＤチップ１５から光出射方向Ｋ２に出射された緑色レーザ光の光路を、光反射面３５によって９０度だけ変更し、ステム２の主面９上に向けることによって、緑色ＬＤチップ１５の緑色レーザ光を光入射面３２に入射させる。光反射器３４は、青色ＬＤチップ１６から光出射方向Ｋ３に出射された青色レーザ光の光路を、光反射面３５によって９０度だけ変更し、ステム２の主面９上に向けることによって、青色ＬＤチップ１６の青色レーザ光を光入射面３２に入射させる。光反射面３５は、緑色ＬＤチップ１５の光出射方向Ｋ２に対し４５度傾斜すると共に、基準光軸Ｌ１に対し４５度傾斜している。光反射面３６は、青色ＬＤチップ１６の光出射方向Ｋ３に対し４５度傾斜すると共に、基準光軸Ｌ１に対し４５度傾斜している。
【００４３】
ステップＳ３において、赤色ＬＤチップ１４に対応するレンズ２２の位置を、このレンズ２２から出射される赤色レーザ光の光路が基準光軸Ｌ１と一致するようにベース１２の主面２０上において調整し、調整後にレンズ２２をベース１２の主面２０に固定する。具体的に説明する。まず、二次元センサ２９、表示装置３０、光反射器３３、光反射器３４の配置の後、主面２０に設けた指示マークＭ１にレンズ２２を配置した状態で、赤色ＬＤチップ１４を発光させる。そして、モニタ画面３１に表示される赤色ＬＤチップ１４の発光パターンを観察しながら、主面２０におけるレンズ２２の固定位置を調整する。図６の（Ａ）部には、赤色ＬＤチップ１４の発光パターンが表示されたモニタ画面３１が、示されている。モニタ画面３１に表示される赤色ＬＤチップ１４の発光パターンが、発光パターン像Ｂ１のような円形として表示されると共に画面中央Ｃ１上に表示されるように、レンズ２２の固定位置を調整し、調整後にレンズ２２をベース１２の主面２０にＵＶ硬化樹脂によって固定する。赤色ＬＤチップ１４の光出射方向Ｋ１がレンズ２２の中心を通らない場合、モニタ画面３１に表示される赤色ＬＤチップ１４の発光パターンは、発光パターン像Ｂ２、発光パターン像Ｂ３のような楕円形となって表示されたり、画面中央Ｃ１から離れた箇所に表示される。赤色ＬＤチップ１４の光出射方向Ｋ１がレンズ２２の中心を通る場合、モニタ画面３１に表示される赤色ＬＤチップ１４の発光パターンは、発光パターン像Ｂ１のような円形として表示されると共に画面中央Ｃ１上に表示される。ステップＳ３によって、赤色ＬＤチップ１４の光出射方向Ｋ１が、光アセンブリ１の基準光軸Ｌ１と一致する。
【００４４】
ステップＳ４において、緑色ＬＤチップ１５に対応するレンズ２３の位置を、このレンズ２３から出射される緑色レーザ光の光路が基準光軸Ｌ１と９０度を成すようにベース１２の主面２０上において調整し、調整後にレンズ２３をベース１２の主面２０にＵＶ硬化樹脂を用いて固定する。具体的に説明する。主面２０に設けた指示マークＭ２にレンズ２３を配置した状態で、赤色ＬＤチップ１４、緑色ＬＤチップ１５を発光させる。そして、モニタ画面３１に表示される赤色ＬＤチップ１４の発光パターンと、モニタ画面３１に表示される緑色ＬＤチップ１５の発光パターンとを観察しながら、主面２０におけるレンズ２３の固定位置を調整する。緑色ＬＤチップ１５の発光パターンを用いたレンズ２３の調整は、上記したレンズ２２の調整と同様に、行う。緑色ＬＤチップ１５の発光パターン（図６の（Ｂ）部の発光パターン像Ｂ４）は、調整後に、モニタ画面３１において、円形に表示され、基準線Ａ１上に表示される。
【００４５】
ステップＳ５において、青色ＬＤチップ１６に対応するレンズ２４の位置を、このレンズ２４から出射される青色レーザ光の光路が基準光軸Ｌ１と９０度を成すようにベース１２の主面２０上において調整し、調整後にレンズ２４をベース１２の主面２０にＵＶ硬化樹脂を用いて固定する。具体的に説明する。主面２０に設けた指示マークＭ３にレンズ２４を配置した状態で、赤色ＬＤチップ１４、緑色ＬＤチップ１５、青色ＬＤチップ１６を発光させる。そして、モニタ画面３１に表示される赤色ＬＤチップ１４の発光パターンと、モニタ画面３１に表示される緑色ＬＤチップ１５の発光パターンと、モニタ画面３１に表示される青色ＬＤチップ１６の発光パターンとを観察しながら、主面２０におけるレンズ２４の固定位置を調整する。青色ＬＤチップ１６の発光パターンを用いたレンズ２４の調整は、上記したレンズ２２の調整と同様に、行う。青色ＬＤチップ１６の発光パターン（図６の（Ｂ）部の発光パターン像Ｂ５）は、調整後に、モニタ画面３１において、円形に表示され、基準線Ａ１上に表示される。なお、ステップＳ４とステップＳ５との実行の順序は、上記した図３に示す順序の逆であることができる。
【００４６】
図６の（Ｂ）部には、赤色ＬＤチップ１４の調整後の発光パターン像Ｂ１と、緑色ＬＤチップ１５の調整後の発光パターン像Ｂ４と、青色ＬＤチップ１６の調整後の発光パターン像Ｂ５とが、モニタ画面３１に表示されている様子が、示されている。赤色ＬＤチップ１４の調整後の発光パターン像Ｂ１と、緑色ＬＤチップ１５の調整後の発光パターン像Ｂ４と、青色ＬＤチップ１６の調整後の発光パターン像Ｂ５とは、モニタ画面３１において、基準線Ａ１上に、一列に配置されている。
【００４７】
ステップＳ６において、緑色ＬＤチップ１５に対応する波長選択性フィルタ２５を、図７に示すように、波長選択性フィルタ２５による反射後の緑色レーザ光の光路が基準光軸Ｌ１と平行になるようにベース１２の主面２０上において調整し、調整後にベース１２の主面２０にＵＶ硬化樹脂を用いて固定する。具体的に説明する。主面２０に設けた指示マークＭ４に波長選択性フィルタ２５を配置した状態で、赤色ＬＤチップ１４、緑色ＬＤチップ１５を発光させる。そして、モニタ画面３１に表示される赤色ＬＤチップ１４の発光パターンと、モニタ画面３１に表示される緑色ＬＤチップ１５の発光パターンとを観察しながら、主面２０における波長選択性フィルタ２５の固定位置を調整（主に、基準光軸Ｌ１に対する波長選択性フィルタ２５の反射面の傾きを調整）する。図６の（Ｂ）部に示す緑色ＬＤチップ１５の発光パターン像Ｂ４を発光パターン像Ｂ１に重ねるように、波長選択性フィルタ２５の固定位置を調整する。
【００４８】
ステップＳ７において、青色ＬＤチップ１６に対応する波長選択性フィルタ２６の位置を、図７に示すように、波長選択性フィルタ２６による反射後の青色レーザ光の光路が基準光軸Ｌ１と平行になるように、ベース１２の主面２０上において調整し、調整後にベース１２の主面２０にＵＶ硬化樹脂を用いて波長選択性フィルタ２６を固定する。具体的に説明する。主面２０に設けた指示マークＭ５に波長選択性フィルタ２６を配置した状態で、赤色ＬＤチップ１４、緑色ＬＤチップ１５、青色ＬＤチップ１６を発光させる。そして、モニタ画面３１に表示される赤色ＬＤチップ１４の発光パターンと、モニタ画面３１に表示される緑色ＬＤチップ１５の発光パターンと、モニタ画面３１に表示される青色ＬＤチップ１６の発光パターンとを観察しながら、主面２０における波長選択性フィルタ２６の固定位置を調整する（主に、基準光軸Ｌ１に対する波長選択性フィルタ２６の反射面の傾きを調整）。図６の（Ｂ）部に示す青色ＬＤチップ１６の発光パターン像Ｂ５を発光パターン像Ｂ１に重ねるように、波長選択性フィルタ２６の固定位置を調整する。
【００４９】
ステップＳ７の後、赤色ＬＤチップ１４の赤色レーザ光と、緑色ＬＤチップ１５の緑色レーザ光と、青色ＬＤチップ１６の青色レーザ光とは、合波されて二次元センサ２９の光入射面３２に入射するので、モニタ画面３１に表示される調整後の赤色ＬＤチップ１４の発光パターンと、モニタ画面３１に表示される調整後の緑色ＬＤチップ１５の発光パターンと、モニタ画面３１に表示される調整後の青色ＬＤチップ１６の発光パターンとは、図６の（Ｃ）部に示すように、画面中央Ｃ１上において互いに重なり、発光パターン像Ｂ６のようにモニタ画面３１に表示される。発光パターン像Ｂ６は、画面中央Ｃ１上にある。
【００５０】
なお、波長選択性フィルタ２５と波長選択性フィルタ２６とが、基準光軸Ｌ１上に配置されることによって、赤色ＬＤチップ１４から出射される赤色レーザ光の光路は、波長選択性フィルタ２５、波長選択性フィルタ２６それぞれの屈折率に応じて、波長選択性フィルタ２５と波長選択性フィルタ２６とによって、波長選択性フィルタ２５、波長選択性フィルタ２６の配置前と比較して、モニタ画面３１において、僅かにシフトするが、光入射面３２が、ベース１２の上面から、略１ｍ離れているので、このシフトは、ほぼ無視できる。波長選択性フィルタ２６が、基準光軸Ｌ１上に配置されることによって、緑色ＬＤチップ１５から出射され波長選択性フィルタ２５によって反射された後の緑色レーザ光の光路は、波長選択性フィルタ２６の屈折率に応じて、波長選択性フィルタ２６によって、波長選択性フィルタ２６の配置前と比較して、モニタ画面３１において、僅かにシフトするが、光入射面３２が、ベース１２の上面から、略１ｍ離れているので、このシフトも、ほぼ無視できる。
【００５１】
図８は、レーザ光をコリメートするレンズの位置ズレ（オフセット量）に伴うレーザ光の発光パターンの位置ズレと大きさとを計算した結果を示す図である。レンズ２２と同様（焦点距離を除く）のレンズが、計算に用いられた。発光パターンは、ＬＤチップからレンズを介して出射され二次元センサに入射するレーザ光の像から得られるとした。二次元センサの光入射面は、レンズから１ｍの距離にあるとした。レンズの位置ズレは、設計位置から１μｍとした。図８の横軸は、レンズの焦点距離（ｍｍ）を示す。図８の左側の縦軸は、位置ズレの量（ｍｍ）を示す。図８の右側の縦軸は、発光パターンの径（ｍｍ）を示す。曲線Ｇ１は、焦点距離と位置ズレとの相関の計算結果である。曲線Ｇ２は、焦点距離と発光パターンの径との相関の計算結果である。レンズの焦点距離（レンズとＬＤとの間隔）は、従来のピックアップ用（又は小型プロジェクタ用）のモジュール（昨今のＰＣ付属の光学ドライブでは複数の波長（青、赤等）のＬＤを搭載してＣＤ、ＤＶＤ、ｂｌｕｅ−ｒａｙ等に対応させている）の場合に５．０ｍｍ程度であるのに対して（符号Ａ２を参照）、本実施形態に係る光アセンブリ１の場合、単一パッケージ内に赤色ＬＤチップ１４等のＬＤと光出射方向Ｋ１等のレンズとを搭載しているので、１ｍｍを下回っており、０．５ｍｍ程度となる（Ａ３を参照）。
【００５２】
従って、図８の計算結果によれば、本実施形態に係る光アセンブリ１の場合、レンズの位置ズレが僅かに１μｍ程度であっても、発光パターンの位置ズレは、数ｍｍ（１．５ｍｍ以上２．０ｍｍ以下）に達する。このように、本実施形態に係る光アセンブリ１の場合、レンズの固定位置の調整（調心）を非常に精密に行わなければならないが、二次元センサ２９の光入射面３２を、ステム２の主面９から十分に離間（１ｍの離間）させることによって、この精密調心が可能となっている。
【００５３】
図９は、レンズの位置ズレ（オフセット量）を設計位置から１μｍ、５μｍ、１０μｍと変化させた場合に、発光パターンの位置ズレの変化を計算した結果を示す図である。レンズ２２と同様（焦点距離を除く）のレンズが、計算に用いられた。発光パターンは、ＬＤチップからレンズを介して出射され二次元センサに入射するレーザ光の像から得られるとした。二次元センサの光入射面は、レンズから１ｍの距離にあるとした。図９の横軸は、レンズの焦点距離（ｍｍ）を示す。図９の左側の縦軸は、位置ズレの量（ｍｍ）を示す。曲線Ｇ３は、レンズの位置ズレが設計位置から１μｍの場合における、焦点距離と位置ズレとの相関の計算結果である。曲線Ｇ４は、レンズの位置ズレが設計位置から５μｍの場合における、焦点距離と位置ズレとの相関の計算結果である。曲線Ｇ５は、レンズの位置ズレが設計位置から１０μｍの場合における、焦点距離と位置ズレとの相関の計算結果である。
【００５４】
図９に示す結果によれば、本実施形態に係るレンズ２２等のように焦点距離が１ｍｍ以下のレンズの場合、レンズの位置ズレを１μｍよりも大きい例えば５μｍ以上とすると、レンズの位置ズレが１μｍの場合に比較して発光パターンの位置ズレが非常に大きくなり、好ましくない。このように、本実施形態に係るレンズ２２等のように焦点距離が１ｍｍ以下のレンズの場合、レンズの位置ズレをできるだけ小さくするのが好ましく（例えば１μｍ以下）、従って、レンズの固定位置の決定は、十分に精密に行われる必要がある。
【００５５】
なお、本実施形態に係る光アセンブリ１は、ＬＤの出射光源（近接像：near  field  pattern）としては、理想的な点光源と見做されてもよい。レンズの焦点距離上にＬＤの発光点を位置させると、レンズの出射光はほぼ平行光となる。従って、集光レンズ４を、基準光軸Ｌ１上のどの位置に配置しても、集光レンズ４は、赤色ＬＤチップ１４の赤色レーザ光と、緑色ＬＤチップ１５の緑色レーザ光と、青色ＬＤチップ１６の青色レーザ光とを合波した合波光を、基準光軸Ｌ１上のほぼ一点（例えば、焦点Ｐ１）に集光できる。よって、集光レンズ４は、基準光軸Ｌ１上であれば、比較的に自由に設けられることが可能となる。また、集光レンズ４が無い場合でも３つのビーム（赤色レーザ光、緑色レーザ光、青色レーザ光）を平行光として利用することもできる。集光レンズ４は、３つのビームを平行ビームにすることもできる。その場合は、３つのビームを、集光もしくは発散ビームとして、集光レンズ４に入射させる。集光レンズ４は、３つのビームを集光させシングルモードファイバ（ＳＭＦ）やマルチモードファイバ（ＭＭＦ）へ光結合可能なビームにすることもできる。
【００５６】
以上説明した本実施形態に係る光アセンブリ１では、光アセンブリ１が備える光学系１３は、赤色ＬＤチップ１４、緑色ＬＤチップ１５、青色ＬＤチップ１６のそれぞれから出射される赤色レーザ光、緑色レーザ光、青色レーザ光を実質的にコリメート光に変換する。光学系１３は、赤色ＬＤチップ１４、緑色ＬＤチップ１５、青色ＬＤチップ１６のそれぞれから出射される赤色レーザ光、緑色レーザ光、青色レーザ光を合波し、光アセンブリ１の外部にある焦点Ｐ１に、集光レンズ４を介して集光する。従って、一の光学系１３のみによって複数色のレーザ光を一点に集光できるので、光アセンブリ１が小型化される。なお、調心が好適に行われた光学系１３を用いれば、光アセンブリ１の光品質も維持可能となる。また、本実施形態に係る光アセンブリ１では、赤色ＬＤチップ１４、緑色ＬＤチップ１５、青色ＬＤチップ１６は、赤、緑、青に対応する波長のレーザ光を出射する。従って、赤色レーザ光、緑色レーザ光、青色レーザ光の出力が行えるので、マルチカラーが実現できる。
【００５７】
また、本実施形態に係る光アセンブリ１では、光学系１３は、赤色ＬＤチップ１４、緑色ＬＤチップ１５、青色ＬＤチップ１６それぞれに対応して搭載されているレンズ２２、レンズ２３、レンズ２４と、複数のレーザ光を合波する波長選択性フィルタ２５、波長選択性フィルタ２６とを有する。従って、赤色ＬＤチップ１４、緑色ＬＤチップ１５、青色ＬＤチップ１６それぞれに対応して搭載されているレンズ２２、レンズ２３、レンズ２４と、複数のレーザ光を合波する波長選択性フィルタ２５、波長選択性フィルタ２６とによって、複数のレーザ光が、当該光アセンブリの外部にある焦点Ｐ１に集光レンズ４を介して集光可能となる。また、本実施形態に係る光アセンブリ１では、光学系１３は、ベース１２上に搭載されている。従って、光学系１３は、単一のベース１２上に搭載され得るものであり、コンパクトに構成されているので、光アセンブリ１の小型化が可能となる。
【００５８】
また、本実施形態に係る光アセンブリ１では、ベース１２は、ガラス製であり、光学系１３の固定位置を示す構造（指示マークＭ１〜指示マークＭ５）を有する。従って、ベース１２の材料は、ガラスなので、光学系１３のレンズ２２、レンズ２３、レンズ２４等と同様の材料とすることができ、よって、ベース１２の熱膨張係数を光学系１３と同様の熱膨張係数とすることができる。更に、光学系１３の固定位置を示す構造（指示マークＭ１〜指示マークＭ５）によって、ベース１２に対す光学系１３の位置は、このような構造が無い場合に比較して、より精密なものとなる。また、本実施形態に係る光アセンブリ１では、光学系１３の固定位置を示す指示マークＭ１〜指示マークＭ５は、ベース１２の主面２０に形成された複数の凹部であることができる。従って、光学系１３の固定位置を示す指示マークＭ１〜指示マークＭ５が複数の凹部の場合に、これらの凹部によって機械的に光学系１３を好適な位置に合わせることが可能となる。
【００５９】
また、本実施形態に係る光アセンブリ１では、ブロック１１は、ベース１２を収容する凹部２８を有する。従って、ベース１２は、ブロック１１の凹部２８によって安定にブロック１１に保持される。また、本実施形態に係る光アセンブリ１では、ブロック１１の凹部２８の深さＤ２は、ベース１２の厚みＤ１と同じである。従って、ブロック１１の凹部２８の設けられている主面２１と、ベース１２の主面２０とを、段差無く、一の面に設けることができる。また、本実施形態に係る光アセンブリ１では、赤色ＬＤチップ１４、緑色ＬＤチップ１５、青色ＬＤチップ１６は、赤色ＬＤチップ１４の光出射方向Ｋ１と、緑色ＬＤチップ１５の光出射方向Ｋ２、青色ＬＤチップ１６の光出射方向Ｋ３とが９０度を成すように、ブロック１１上に搭載されている。従って、赤色ＬＤチップ１４、緑色ＬＤチップ１５、青色ＬＤチップ１６の複数の光出射方向が互いに９０度を成すので、９０度の反射のみによって赤色ＬＤチップ１４、緑色ＬＤチップ１５、青色ＬＤチップ１６の複数のレーザ光の合波が可能となる。よって、光学系１３の構成を簡略にできる。
【００６０】
また、本実施形態に係る光アセンブリ１では、レンズ２２、レンズ２３、レンズ２４それぞれは、球レンズである。また、本実施形態に係る光アセンブリ１では、レンズ２２、レンズ２３、レンズ２４それぞれの出射光は、実質的にコリメート光である。従って、このように、光学系１３の備えるレンズ２２、レンズ２３、レンズ２４によって、赤色ＬＤチップ１４、緑色ＬＤチップ１５、青色ＬＤチップ１６それぞれから出射されるレーザ光のコリメートが可能となる。
【００６１】
本実施形態に係る光アセンブリ１の以上の構成によれば、光アセンブリ１は、マルチカラーのレーザ光を出射可能であると共に、光品質を低下させることなく小型化が実現されている。
【００６２】
以上、好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【符号の説明】
【００６３】
１…光アセンブリ、１１…ブロック、１２…ベース、１３…光学系、１４…赤色ＬＤチップ、１５…緑色ＬＤチップ、１６…青色ＬＤチップ、１７，１８，１９…サブマウント、２…ステム、２０，２１，９…主面、２２，２３，２４…レンズ、２５，２６…波長選択性フィルタ、２８…凹部、２９…二次元センサ、３…キャップ、３０…表示装置、３１…モニタ画面、３２…光入射面、３３，３４，３５，３６…光反射器、４…集光レンズ、５，６，７，８…リードピン、Ａ１…基準線、Ａ２，Ａ３…符号、Ｂ１，Ｂ２，Ｂ３，Ｂ４，Ｂ５，Ｂ６…発光パターン像、Ｃ１…画面中央、Ｄ１…厚み、Ｄ２…深さ、Ｄ３…距離、Ｇ１，Ｇ２，Ｇ３，Ｇ４，Ｇ５…曲線、Ｋ１，Ｋ２，Ｋ３…光出射方向、Ｌ１…基準光軸、Ｍ１，Ｍ２，Ｍ３，Ｍ４，Ｍ５…指示マーク、Ｐ１…焦点、Ｗ１，Ｗ２，Ｗ３，Ｗ４，Ｗ５，Ｗ６…ワイヤ。
【図１】
2014168021.tif 000003
【図２】
2014168021.tif 000004
【図３】
2014168021.tif 000005
【図４】
2014168021.tif 000006
【図５】
2014168021.tif 000007
【図６】
2014168021.tif 000008
【図７】
2014168021.tif 000009
【図８】
2014168021.tif 000010
【図９】
2014168021.tif 000011